(57)【要約】【課題】電気掃除機の本体にホース，吸込パイプを介し吸込端末として接続され床等の清掃面に当接される電気掃除機用吸込具において吸込口における吸込能力を高める。電気掃除機用吸込具を使用して清掃面を均等に清掃できるようにする。【解決手段】上部に接続用パイプ２が取付けられ下部にスリット形の吸込口３が開口された蒲鉾形のケース体１を備えている。ケース体１の内部は、隔壁１１によって吸込室１２，ブラシ室１３に区画されている。吸込室１２は、接続用パイプ２，吸込口３に連通して吸込空気Ａを大きく旋回させる容積を有し吸込口３の長さ方向に共通の半円形の断面積が連続している。【選択図】図１
2009207644.tif 000002
【特許請求の範囲】
【請求項１】
上部に接続用パイプが取付けられ下部にスリット形の吸込口が開口されたケース体を備えた電気掃除機用吸込具において、ケース体の内部に接続用パイプ，吸込口に連通して吸込空気を大きく旋回させる容積を有し吸込口の長さ方向に共通の断面積が連続する吸込室が設けられ、稼動中の前記吸込口の面積が前記接続用パイプの口径面積よりも小さいことを特徴とする電気掃除機用吸込具。
【請求項２】
請求項１の電気掃除機用吸込具において、吸込口は複数個が開口され少なくとも１個が選択的に開放される開閉機構が付設されていることを特徴とする電気掃除機用吸込具。
【請求項３】
請求項２の電気掃除機用吸込具において、吸込口は少なくともケース体の前後端部に配置されて清掃面に向けて延びた薄箱形のダクトの下端部に開口されていることを特徴とする電気掃除機用吸込具。
【請求項４】
請求項１〜３のいずれかの電気掃除機用吸込具において、ケース体は清掃面を刷掃するブラシを回転可能に支持し、吸込口はブラシに近接して配置されていることを特徴とする電気掃除機用吸込具。
【発明の詳細な説明】
【技術分野】
【０００１】
本発明は、電気掃除機の本体にホース，吸込パイプを介し吸込端末として接続され床等の清掃面に当接される電気掃除機用吸込具に係る技術分野に属する。
【背景技術】
【０００２】
現在、電気掃除機の能力が真空度，風量に一定の定数（計数）を乗じた吸込仕事率で表示されている。ただし、吸込仕事率の計算の基となっている真空度，風量については、電気掃除機の本体にホース，吸込パイプが接続されるものの吸込端末である電気掃除機用吸込具が接続されない状態で測定された数値が使用される。従って、吸込仕事率は、電気掃除機の実際の能力（ほこり等の吸込能力）を表示するものとはいえずあくまで電気的な参考的数値にすぎないものである。
【０００３】
なお、電気掃除機の実際の能力を表示するものとしては、ＩＥＣ（国際規格）のダストピックアップ率がある。ダストピックアップ率は、清掃面に撒いたほこり（スタンダードダスト）を電気掃除機の本体にホース，吸込パイプ，電気掃除機用吸込具を接続して実際に吸込んだほこりの重量を測定することから算出される。
【０００４】
電気掃除機のダストピックアップ率を高めるには、各部の技術開発の経緯から、吸込端末である電気掃除機用吸込具の構造を改良することが最も重要であることが認識されるようになってきている。
【０００５】
従来、ダストピックアップ率を高めることを指向した技術としては、例えば、以下に記載のものが知られている。
特許文献１には、上部に接続用パイプが取付けられ下部にスリット形の吸込口が開口されたケース体を備え、吸込口が清掃面に向けて延びた薄箱形のダクトの下端部に開口されている電気掃除機用吸込具が記載されている。
【０００６】
特許文献１に係る電気掃除機用吸込具は、吸込口をスリット形に絞込んで清掃面に近接させることで、吸込口における吸込能力を高めようとするものである。
【特許文献１】特公平７−９０００１号公報
【発明の開示】
【発明が解決しようとする課題】
【０００７】
特許文献１に係る電気掃除機用吸込具では、吸込口が薄箱形のダクトとケース体の内部の小さな容積の吸込室とを介して接続用パイプ（電気掃除機の本体にホースを介し接続された吸込パイプに接続される）に連通され、接続用パイプに掛かる電気掃除機の本体の風力が接続用パイプに近い吸込口の中央部付近に強く掛かってしまうため、接続用パイプからの距離によって吸込口における吸込能力に差が生じてしまい清掃面を均等に清掃することができないという問題点がある。
【０００８】
本発明は、このような問題点を考慮してなされたもので、吸込口における吸込能力が高くしかも清掃面を均等に清掃することのできる電気掃除機用吸込具を提供することを課題とする。
【課題を解決するための手段】
【０００９】
前述の課題を解決するため、本発明に係る電気掃除機用吸込具は、特許請求の範囲の各請求項に記載の手段を採用する。
【００１０】
即ち、請求項１では、上部に接続用パイプが取付けられ下部にスリット形の吸込口が開口されたケース体を備えた電気掃除機用吸込具において、ケース体の内部に接続用パイプ，吸込口に連通して吸込空気を大きく旋回させる容積を有し吸込口の長さ方向に共通の断面積が連続する吸込室が設けられ、稼動中の前記吸込口の面積が前記接続用パイプの口径面積よりも小さいことを特徴とする。
【００１１】
この手段では、接続用パイプに掛かる電気掃除機の本体の風力が吸込口の長さ方向に共通の断面積が連続する吸込室において吸込空気の旋回で均等に分散され、スリット形に絞込まれた吸込口において均等な吸込能力が起生され、稼動中の前記吸込口の面積が前記接続用パイプの口径面積よりも小さいために前記吸込口には強力な吸引力が得られる。
【００１２】
また、請求項２では、請求項１の電気掃除機用吸込具において、吸込口は複数個が開口され少なくとも１個が選択的に開放される開閉機構が付設されていることを特徴とする。
【００１３】
この手段では、複数個の吸込口の少なくとも１個が開閉機構によって選択的に開口される。
【００１４】
また、請求項３では、請求項２の電気掃除機用吸込具において、吸込口は少なくともケース体の前後端部に配置されて清掃面に向けて延びた薄箱形のダクトの下端部に開口されていることを特徴とする。
【００１５】
この手段では、前後方向に移動するケース体の前後端部に清掃面に近接して吸込口が配置される。
【００１６】
また、請求項４では、請求項１〜３のいずれかの電気掃除機用吸込具において、ケース体は清掃面を刷掃するブラシを回転可能に支持し、吸込口はブラシに近接して配置されていることを特徴とする。
【００１７】
この手段では、ブラシの回転で跳上げられたほこり等が飛散することなく近接した吸込口に吸込まれる。
【発明の効果】
【００１８】
本発明に係る電気掃除機用吸込具は、接続用パイプに掛かる電気掃除機の本体の風力が吸込口の長さ方向に共通の断面積が連続する吸込室において吸込空気の旋回で均等に分散され、スリット形に絞込まれた吸込口において均等な吸込能力が起生されるため、吸込口における吸込能力が高くしかも清掃面を均等に清掃することができ、且つ稼動中の前記吸込口の面積が前記接続用パイプの口径面積よりも小さいために前記吸込口には強力な吸引力が得られる効果がある。
【００１９】
さらに、請求項２として、複数個の吸込口の少なくとも１個が開閉機構によって選択的に開放されるため、効率的な吸込みが予想される位置に配置されている吸込口を選択して開放することで、清掃効率を高めることができる効果がある。また、複数個の全ての吸込口が同時に開放されないため、吸込口における吸込能力の低下が防止される効果がある。
【００２０】
さらに、請求項３として、前後方向に移動するケース体の前後端部に清掃面に近接して吸込口が配置され、ケース体の移動の後部側に位置する吸込口を開閉機構によって開放することで清掃面にほこり等が残留するのを防止することができる効果がある。
【００２１】
さらに、請求項４として、ブラシの回転で跳上げられたほこり等が飛散することなく近接した吸込口に吸込まれるため、清掃効率が高くなる効果がある。
【発明を実施するための最良の形態】
【００２２】
以下、本発明に係る電気掃除機用吸込具を実施するための最良の形態を図面に基づいて説明する。
【００２３】
図１〜図４は、本発明に係る電気掃除機用吸込具を実施するための最良の形態の第１例を示すものである。
【００２４】
第１例では、一般家庭用の電気掃除機に適用されるものを示してある。
【００２５】
第１例は、蒲鉾形のケース体１に接続用パイプ２，吸込口３が設けられている。
【００２６】
ケース体１は、内部が隔壁１１によって吸込室１２，ブラシ室１３に区画されている。吸込室１２は、隔壁１１の内部の上側に位置され、半円形で左右方向（長さ方向）に共通の断面積が連続されて（図２参照）、吸込口３から吸込まれた吸込空気Ａを大きく旋回させる容積を有して気密性を備えるとともに接続用パイプ２，吸込口３に連通されている。ブラシ室１３は、隔壁１１の内部の下側に位置され、方形で左右方向に共通の断面積が連続され、清掃面Ｆに向けて開放されている。
【００２７】
接続用パイプ２は、ケース体１の上部の後方側に斜め上方へ突出されるように取付けられている。この接続用パイプ２は、電気掃除機の本体にホースを介し接続された吸込パイプが接続されるもので、ケース体１にスライド可能に取付けられて突出角度が調整可能になっている。
【００２８】
吸込口３は、ケース体１の下部に設けられたダクト４にスリット形に開口されている。この吸込口３は、ケース体１の下部の前後端部で隔壁１１を下方へ向けて屈曲させた格好の薄箱形に形成されてケース体１の左右方向の全長に配設されたダクト４の下端部に開口され、清掃面Ｆに近接されて対面するようになっている。
【００２９】
吸込口３には、開閉機構５が付設されている。開閉機構５は、２個の吸込口３から前後端部側の１個を選択的に開口するもので、ケース体１の隔壁１１の上にスライド可能に積層された平板形の開閉板５１と、開閉板５１に連結されケース体１の外部に突出された摘形の操作部５２とからなる。開閉板１は、操作部５２のスライド操作によって前後方向にスライドして、吸込口３に連通するダクト４の基端口（ケース体１の吸込室１２との界面）を選択的に開閉する。操作部５２は、ケース体１に穿孔され気密シール材が取付けられた窓１４からケース体１の外部に突出されている。
【００３０】
さらに、第１例では、ケース体１の下部にケース体１を清掃面Ｆ上でスムースに走行させる車輪６が取付けられている。車輪６は、ケース体１の４隅付近に配置され（図３参照）、ケース体１から下方へわずかに突出されるようにケース体１に非駆動で回転可能に支持されている。
【００３１】
さらに、第１例では、ケース体１の下部に清掃面Ｆを刷掃するブラシ７が取付けられている。ブラシ７は、回転軸がケース体１の左右方向に配置され前後方向に２本が配置され、ケース体１から下方へわずかに突出されるようにブラシ室１３の内部に収容されてケース体１に回転可能に支持されている。このブラシ７は、小型モータ８によってギア９を介して駆動される。ギア９は、例えば、両ブラシ７が互いの方向へほこりＤを跳上げる回転方向に設定される（図１参照）。
【００３２】
第１例を使用して清掃を行う場合、例えば、ケース体１の前後進の後方側の吸込口３を開口する。即ち、図１（Ａ）に示すケース体１の前進の際には、開閉機構５を操作してケース体１の後端部側の吸込口３を開口し、図１（Ｂ）に示すケース体１の後進の際には、開閉機構５を操作してケース体１の前端部側の吸込口３を開口する。この結果、ほこりＤは、回転する両ブラシ７によって互いの方向へ跳上げられケース体１のブラシ室１３の内部で後方側に飛散し、飛散方向に開口されている吸込口３に吸込まれることになる。
【００３３】
ほこりＤを吸込む吸込口３は、接続用パイプ２の口径面積に比してかなり狭い面積となったスリット形に絞込まれて高い吸込能力を有するとともに、ダクト４の下端部で清掃面Ｆに近接されて対面している。従って、ほこりＤが吸込口３に確実に吸込まれることになる。
【００３４】
なお、吸込口３における吸込能力は、接続用パイプ２に掛かる電気掃除機の本体の風力が吸込口３の長さ方向に共通の断面積が連続する吸込室１２において吸込空気Ａの旋回で均等に分散される。従って、吸込口３において均等な吸込能力が起生され、接続用パイプ２からの距離によって吸込口３における吸込能力に差が生じることがなく清掃面Ｆの均等な清掃が可能になる。
【００３５】
図５〜図７は、本発明に係る電気掃除機用吸込具を実施するための最良の形態の第２例を示すものである。
【００３６】
第２例は、第１例の吸込口３をスリット形を維持してケース体１の隔壁１１のブラシ近くにも開口している。そして、開閉機構５を２層構造として各開閉板５１に新たに開口された吸込口３を開閉する開閉窓５３を開口している。
【００３７】
第２例によると、図６，図７に示すように、ケース体１の前後進の後方側の吸込口３を２個開口することで、新たに開口された吸込口３を補助的な吸込みとして機能させることができる。
【００３８】
以上、図示した各例の外に、吸込口３を１個のみ開口することも可能である。また、吸込口３をケース体１の左右方向に連続させず間欠的に開口することも可能である。
【００３９】
さらに、小型モータ８，ギア９を省略して、ブラシ７を車輪６の回転で駆動することも可能である。
【００４０】
さらに、開閉機構５，車輪６を連係させ、吸込口３の開閉をケース体１の前後進に対応して自動化することも可能である。
【産業上の利用可能性】
【００４１】
本発明に係る電気掃除機用吸込具は、業務用の大型の電気掃除機に適用することも可能である。
【図面の簡単な説明】
【００４２】
【図１】本発明に係る電気掃除機用吸込具を実施するための最良の形態の第１例の断面図であり、（Ａ），（Ｂ）に異なる動作状態が示されている。
【図２】図１の斜視図である。
【図３】図１の底面図である。
【図４】図１の縦断面図である。
【図５】本発明に係る電気掃除機用吸込具を実施するための最良の形態の第１例の断面図である。
【図６】図５の動作を示すもので、（Ａ），（Ｂ）に異なる動作状態が示されている。
【図７】図５の他の動作を示すもので、（Ａ），（Ｂ）に異なる動作状態が示されている。
【符号の説明】
【００４３】
１            ケース体
１２          吸込室
２            接続用パイプ
３            吸込口
４            ダクト
５            開閉機構
７            ブラシ
Ｆ            清掃面
【図１】
2009207644.tif 000003
【図２】
2009207644.tif 000004
【図３】
2009207644.tif 000005
【図４】
2009207644.tif 000006
【図５】
2009207644.tif 000007
【図６】
2009207644.tif 000008
【図７】
2009207644.tif 000009